【手続補正書】
【提出日】平成28年4月15日(2016.4.15)
【手続補正１】
【補正対象書類名】特許請求の範囲
【補正対象項目名】全文
【補正方法】変更
【補正の内容】
【特許請求の範囲】
【請求項１】
積層された複数の単セルを有するセルスタックと、前記セルスタックに対して前記複数の単セルの積層方向の外側に配置されているエンドプレートと、を有する燃料電池から排出されたオフガスに含まれる水を分離して排出する気液分離器であって、
前記エンドプレートに形成され、前記エンドプレートにおける前記積層方向の端面のうちの前記セルスタックとは反対側の端面に開口し、前記気液分離器の一部を構成する気液分離器形成部と、
前記気液分離器形成部の開口を覆って配置され、前記気液分離器の一部を構成するカバー部材と、
を備え、
前記気液分離器形成部は、
前記オフガスの排出口が形成されており、前記オフガスの流路として機能すると共に前記オフガスから分離された水が溜まる貯留部の一部を形成する第１の内壁部であって、前記開口に接続して前記エンドプレートの厚さ方向に凹状に形成されている第１の内壁部と、
前記気液分離器形成部から前記カバー部材に向かう第１の方向に沿って前記第１の内壁部から突出して前記排出口を囲む囲み部と、
を有し、
前記囲み部における前記第１の方向の端面は、前記気液分離器形成部全体における前記第１の方向の端面から前記第１の方向とは反対方向にオフセットされている、気液分離器。
【請求項２】
積層された複数の単セルを有するセルスタックと、前記セルスタックに対して前記複数の単セルの積層方向の外側に配置されているエンドプレートと、を有する燃料電池から排出されたオフガスに含まれる水を分離して排出する気液分離器であって、
前記エンドプレートに形成され、前記エンドプレートにおける前記積層方向の端面のうちの前記セルスタックとは反対側の端面に開口し、前記気液分離器の一部を構成する気液分離器形成部と、
前記気液分離器形成部の開口を覆って配置され、前記気液分離器の一部を構成するカバー部材と、
を備え、
前記気液分離器形成部は、
前記オフガスの排出口が形成され、前記オフガスの流路として機能すると共に前記オフガスから分離された水が溜まる貯留部の一部を形成する第１の内壁部であって、前記開口に接続して前記エンドプレートの厚さ方向に凹状に形成されている第１の内壁部と、
前記気液分離器形成部から前記カバー部材に向かう第１の方向に沿って前記第１の内壁部から突出して前記排出口を囲む囲み部と、
を有し、
前記囲み部の外表面のうち、前記気液分離器が載置された状態において鉛直下方に位置する外表面は、前記貯留部の底面と略平行である、気液分離器。
【請求項３】
請求項１または請求項２に記載の気液分離器において、
前記第１の内壁部には、前記気液分離器への前記オフガスの流入口が形成されており、
前記カバー部材は、
前記カバー部材における前記気液分離器形成部と対向する面に形成された開口に接続して前記カバー部材の厚さ方向に凹状に形成されている第２の内壁部であって、前記第１の内壁部と前記積層方向に対向して配置されて、前記第１の内壁部と共に前記貯留部を形成する第２の内壁部と、
前記貯留部に溜まった水を排出する排水流路を形成する排水流路形成部と、
を有する、気液分離器。
【請求項４】
燃料電池システムであって、
積層された複数の単セルを有するセルスタックと、前記セルスタックに対して前記複数の単セルの積層方向の外側に配置されているエンドプレートと、を有する燃料電池と、
前記燃料電池から排出されたオフガスに含まれる水を分離して排出する気液分離器と、
を備え、
前記気液分離器は、
前記エンドプレートに形成され、前記エンドプレートにおける前記積層方向の端面のうちの前記セルスタックとは反対側の端面に開口し、前記気液分離器の一部を構成する気液分離器形成部と、
前記気液分離器形成部の開口を覆って配置され、前記気液分離器の一部を構成するカバー部材と、
を有し、
前記気液分離器形成部は、
前記オフガスの排出口が形成されており、前記オフガスの流路として機能すると共に前記オフガスから分離された水が溜まる貯留部の一部を形成する第１の内壁部であって、前記開口に接続して前記エンドプレートの厚さ方向に凹状に形成されている第１の内壁部と、
前記気液分離器形成部から前記カバー部材に向かう第１の方向に沿って前記第１の内壁部から突出して前記排出口を囲む囲み部と、
を有し、
前記囲み部における前記第１の方向の端面は、前記気液分離器形成部全体における前記第１の方向の端面から前記第１の方向とは反対方向にオフセットされている、燃料電池システム。
【請求項５】
燃料電池システムであって、
積層された複数の単セルを有するセルスタックと、前記セルスタックに対して前記複数の単セルの積層方向の外側に配置されているエンドプレートと、を有する燃料電池と、
前記燃料電池から排出されたオフガスに含まれる水を分離して排出する気液分離器と、
を備え、
前記気液分離器は、
前記エンドプレートに形成され、前記エンドプレートにおける前記積層方向の端面のうちの前記セルスタックとは反対側の端面に開口し、前記気液分離器の一部を構成する気液分離器形成部と、
前記気液分離器形成部の開口を覆って配置され、前記気液分離器の一部を構成するカバー部材と、
を有し、
前記気液分離器形成部は、
前記オフガスの排出口が形成されており、前記オフガスの流路として機能すると共に前記オフガスから分離された水が溜まる貯留部の一部を形成する第１の内壁部であって、前記開口に接続して前記エンドプレートの厚さ方向に凹状に形成されている第１の内壁部と、
前記気液分離器形成部から前記カバー部材に向かう第１の方向に沿って前記第１の内壁部から突出して前記排出口を囲む囲み部と、
を有し、
前記囲み部の外表面のうち、前記気液分離器が載置された状態において鉛直下方に位置する外表面は、前記貯留部の底面と略平行である、燃料電池システム。
【手続補正２】
【補正対象書類名】明細書
【補正対象項目名】０００６
【補正方法】変更
【補正の内容】
【０００６】
（１）本発明の一形態によれば、積層された複数の単セルを有するセルスタックと、前記セルスタックに対して前記複数の単セルの積層方向の外側に配置されているエンドプレートと、を有する燃料電池から排出されたオフガスに含まれる水を分離して排出する気液分離器が提供される。この気液分離器は、前記エンドプレートに形成され、前記エンドプレートにおける前記積層方向の端面のうちの前記セルスタックとは反対側の端面に開口し、前記気液分離器の一部を構成する気液分離器形成部と；前記気液分離器形成部の開口を覆って配置され、前記気液分離器の一部を構成するカバー部材と；を備え、前記気液分離器形成部は、前記オフガスの排出口が形成されており、前記オフガスの流路として機能すると共に前記オフガスから分離された水が溜まる貯留部の一部を形成する第１の内壁部であって、前記開口に接続して前記エンドプレートの厚さ方向に凹状に形成されている第１の内壁部と；前記気液分離器形成部から前記カバー部材に向かう第１の方向に沿って前記第１の内壁部から突出して前記排出口を囲む囲み部と；を有し、前記囲み部における前記第１の方向の端面は、前記気液分離器形成部全体における前記第１の方向の端面から前記第１の方向とは反対方向にオフセットされている、気液分離器。この形態の気液分離器によれば、囲み部における第１の方向の端部は、気液分離器形成部全体における第１の方向の端面から第１の方向とは反対方向にオフセットされているので、カバー部材の底面から囲み部の第１の方向の端部までの距離を比較的長くできる。このため、カバー部材の底面に溜まった水が排出口に浸入することを抑制できる。したがって、気液分離器における水の分離効率の低下を抑制できる。
【手続補正３】
【補正対象書類名】明細書
【補正対象項目名】０００７
【補正方法】変更
【補正の内容】
【０００７】
（２）本発明の他の形態によれば、積層された複数の単セルを有するセルスタックと、前記セルスタックに対して前記複数の単セルの積層方向の外側に配置されているエンドプレートと、を有する燃料電池から排出されたオフガスに含まれる水を分離して排出する気液分離器が提供される。この気液分離器は、前記エンドプレートに形成され、前記エンドプレートにおける前記積層方向の端面のうちの前記セルスタックとは反対側の端面に開口し、前記気液分離器の一部を構成する気液分離器形成部と；前記気液分離器形成部の開口を覆って配置され、前記気液分離器の一部を構成するカバー部材と；を備え、前記気液分離器形成部は、前記オフガスの排出口が形成され、前記オフガスの流路として機能すると共に前記オフガスから分離された水が溜まる貯留部の一部を形成する第１の内壁部であって、前記開口に接続して前記エンドプレートの厚さ方向に凹状に形成されている第１の内壁部と；前記気液分離器形成部から前記カバー部材に向かう第１の方向に沿って前記第１の内壁部から突出して前記排出口を囲む囲み部と；を有し、前記囲み部の外表面のうち、前記気液分離器が載置された状態において鉛直下方に位置する外表面は、前記貯留部の底面と略平行である。この形態の気液分離器によれば、例えば、気液分離器が燃料電池自動車等の移動体に搭載され、かかる移動体の走行状態に起因して気液分離器の姿勢が傾いた場合に、貯留部に溜まった水の液面と、囲み部における鉛直下方に位置する外表面とを互いに略平行とすることができる。このため、溜まった水の液面と囲み部との間の距離を比較的大きくできるので、溜まった水がオフガスの排出口に浸入することを抑制できる。したがって、気液分離器における水の分離効率の低下を抑制できる。
【手続補正４】
【補正対象書類名】明細書
【補正対象項目名】００５１
【補正方法】変更
【補正の内容】
【００５１】
また、突出部１１０（厚肉部１１１）の端面Ｓ１１０を、カバー部材１１全体としての−Ｙ方向の端面である形成部対向面Ｓ１１よりも＋Ｙ方向に距離ｄ２だけオフセットさせることによって隙間１９０を形成し、且つ、かかる隙間１９０の底面と、ガス流入口と対向する斜面Ｓ１０１の下端とを接続している。このため、斜面Ｓ１０１を流れ落ちる液体の水を、隙間１９０を介して排水口１２１に向かわせることができる。加えて、隙間１９０の底面（第３の面Ｓ１３）を、＋Ｘ方向に沿って下方に傾斜して形成しているので、隙間１９０において水が排水口１２１に向かうことを促進できる。
【手続補正５】
【補正対象書類名】明細書
【補正対象項目名】００６２
【補正方法】変更
【補正の内容】
【００６２】
５…燃料電池システム
７…燃料電池
１０…気液分離器
１１…カバー部材
１２…気液分離器形成部
１３…貯留部
２０…水素タンク
３０…エアコンプレッサ
４０…循環ポンプ
５１…遮断弁
５２…インジェクタ
５３…排気排水弁
５４…三方弁
５５…圧力調整弁
６１…燃料ガス供給路
６２…燃料ガス循環路
６３…燃料ガス排出路
７１…酸化剤ガス供給路
７２…酸化剤ガス排出路
７３…バイパス流路
８０…第１のエンドプレート
８１…第２のエンドプレート
８２…ターミナルプレート
８３…ターミナルプレート
９０…セルスタック
１１０…突出部
１１１…厚肉部
１１２…薄肉部
１２０…排水流路形成部
１２１…排水口
１２２…排水流路
１５１…第１底面
１５２…第２底面
１５３…第３底面
１６０…第２内壁部
１９０…隙間
２０２…第１内壁部
２１０…ガス供給路
２１１…ガス供給路形成部
２２０…オフガス排出口
２２１…囲み部
２２２…第１壁部
２２３…第２壁部
２２４…第３壁部
２２５…排出流路
５００…弁装置
５１０…接続部
５１１…連通流路
５１２…底面
５１２ａ…底面
５１２ｂ…底面
Ｓ１３…第３の面
Ａｒ１…領域
Ａｒ２…領域
Ｇ１…隙間
Ｓ１１…形成部対向面
Ｓ１４…第４の面
Ｓ２３…第１の面
Ｓ２４…第２の面
Ｓ８０…カバー対向面
Ｓ１０１…斜面
Ｓ１０２…壁
Ｓ１０３…壁（天井面）
Ｓ１１０…端面
Ｓ１１１…端面
Ｓ１５１…壁面
Ｓ１６１…端面
Ｓ２２１…端面
ＳＤ…積層方向
Ｗ１…水
Ｗ２…水
ＷＳ１…液面
ＷＳ２…液面
ＷＳ３…液面
ＷＳ４…液面
ｄ１…距離
ｄ２…距離
ｄ４…距離
ｐ１１…最下点
ｐ２１…最下点
【手続補正６】
【補正対象書類名】図面
【補正対象項目名】図５
【補正方法】変更
【補正の内容】
【図５】
2016096012.tif 000001